(57)【要約】      （修正有）【課題】簡単な構成で、飲料水等が入った耐熱型のペットボトル、ビン、缶、哺乳瓶、レトルト食品又はタオル等を容易に温められることが出来る、携帯用簡易加熱器の提供。【解決手段】被加熱物である清涼飲料水のビン６を収納できる大きさの、底面にマチ４ａの付いた耐熱性の袋４の外周側面に断面波型の紙製シート５を設けた本体１、透水性の袋２ａに入れた加水型発熱剤２、及び水３を入れた水袋から成る携帯用簡易加熱器を設け、上記本体１を扁平な支持物の上に立てて、本体１の開口部から上記加水型発熱剤２の袋２ａを中に入れ、同様に上記ビン６を本体１に入れ、上記水袋を破って当該本体１に水３を入れて上記加水型発熱剤２を発熱させて上記ビン６を加熱する構成とした。【選択図】図１
0003118289.tif 000002
【実用新案登録請求の範囲】
【請求項１】
被加熱物を収納できる大きさの、底面にマチのある耐熱性の袋の外周側面に断熱用又は保温用シートを設けた本体、透水性の袋に入れた加水型発熱剤、及び水を入れた水袋から成る携帯用簡易加熱器を設け、上記本体を扁平な支持物の上に立てて、当該本体の開口部から上記加水型発熱剤を中に入れ、同様に被加熱物を当該本体に入れ、上記水袋を破って当該本体に水を入れて上記加水型発熱剤を発熱させて上記被加熱物を加熱する構成としたことを特徴とする、携帯用簡易加熱器。
【請求項２】
被加熱物を収納できる大きさの、底面にマチのある耐熱性の主袋と当該主袋の外側又は内側に加熱剤及び水を入れる、耐熱性の副袋を設け、これらの主袋及び副袋の外周側面に断熱用又は保温用シートを設けた本体、透水性の袋に入れた加水型発熱剤、及び水を入れた水袋から成る携帯用簡易加熱器を設け、上記本体を扁平な支持物の上に立てて、当該本体の主袋の開口部から被加熱物を当該主袋に入れ、また、副袋の開口部から上記加水型発熱剤を副袋に入れ、上記水袋を破って当該副袋に水を入れて上記加水型発熱剤を発熱させて上記被加熱物を加熱する構成としたことを特徴とする、携帯用簡易加熱器。
【請求項３】
上記耐熱性の袋がアルミニウム入りの袋であることを特徴とする、請求項１又は２に記載の携帯用簡易加熱器。
【請求項４】
上記断熱用又は保温用シートが紙製シートであることを特徴とする、請求項１、２又は３のいずれかに記載の携帯用簡易加熱器。
【請求項５】
上記断熱用又は保温用シートが、断面波型の紙製シートであることを特徴とする、請求項１、２、３又は４のいずれかに記載の携帯用簡易加熱器。
【請求項６】
上記加水型発熱剤は、粉体生石灰と粉体アルミニウムを混合して成り、発熱時には９０°Ｃ〜１００°Ｃを２０分間維持する温度制御及び時間制御されたものであることを特徴とする、上記請求項１、２、３、４又は５のいずれかに記載の携帯用簡易加熱器。
【考案の詳細な説明】
【技術分野】
【０００１】
この考案は、災害時に、また、屋外において、乳幼児のミルク用、湯茶用などの飲料水、また、蒸しタオルを作る時のタオル等を適宜の温度に温められ、また、簡単に持ち運びできる、携帯用簡易加熱器に関するものである。
【背景技術】
【０００２】
従来、地震などの災害の被害の大きい時には、電気、ガス、及び水道などのライフラインの供給が停止され、通常の生活が出来なくなる。また、一度破壊されたライフラインは、復旧までに多大な時間がかかる。この様な中、災害地では、ガス漏れの恐れがあり、裸火の使用は厳重に禁止される場合もある。
【０００３】
この様な災害時であっても、乳幼児のミルクを作る湯を沸かすことは必要であり、また、この様な時に、特に冬場に、被害に遭われた方たちに温かい湯茶や蒸しタオルを提供することは、被害者にとって心身共に癒され、喜ばれることとなる。
【０００４】
一方、弁当や日本酒等の液状食品を加熱調理容器に封入し、この加熱調理容器に組み込まれた加熱装置である発熱剤によって、上記弁当や日本酒等を温めというものはある。これらの発熱剤としては、化学物質の発熱反応、例えば、酸化物に対する水の添加反応を利用するものなどが使用されている。
【特許文献１】特開２００３−３４２５５８号公報
【考案の開示】
【考案が解決しようとする課題】
【０００５】
しかしながら、これは、発熱剤に関する発明であって、この発熱剤を使用して弁当や日本酒等を温める際、加熱調理容器又はそれに代わるものを別途容易する必要がある。平常時なら、これらのものを用意することは容易であるが、災害時には容易でなく、例え、用意できたとしても時間がかかるものと推測される。
【０００６】
そんな中、多くの人が日常的に飲料水等が入った３５０ｍｌ又は５００ｍｌの縦長の耐熱型のペットボトルをスーパーやコンビニで頻繁に購入使用している。これらのペットボトルは頑強であって、少々のことでは壊れず、また、開閉自在なキャップが付いているので、飲料水等の持ち運びや保存には最適なものである。よって、この様な耐熱型のペットボトル等を簡単に温めることが出来る携帯用の簡易加熱器があれば、災害時や屋外活動時等に大いに利用価値があるものとなる。
【０００７】
そこで、この考案は、簡単な構成で、飲料水等が入った耐熱型のペットボトル、ビン、缶、哺乳瓶、レトルト食品又はタオル等を容易に温められることが出来る、携帯用簡易加熱器を提供することにより上記課題を解決するものである。
【課題を解決するための手段】
【０００８】
請求項１の考案は、被加熱物を収納できる大きさの、底面にマチの付いた耐熱性の袋の外周側面に断熱用又は保温用シートを設けた本体、透水性の袋に入れた加水型発熱剤、及び水を入れた水袋から成る携帯用簡易加熱器を設け、上記本体を扁平な支持物の上に立てて、当該本体の開口部から上記加水型発熱剤を中に入れ、同様に被加熱物を当該本体に入れ、上記水袋を破って当該本体に水を入れて上記加水型発熱剤を発熱させて上記被加熱物を加熱する構成とした、携帯用簡易加熱器とした。
【０００９】
請求項２の考案は、被加熱物を収納できる大きさの、底面にマチのある耐熱性の主袋と当該主袋の外側又は内側に加熱剤及び水を入れる、耐熱性の副袋を設け、これらの主袋及び副袋の外周側面に断熱用又は保温用シートを設けた本体、透水性の袋に入れた加水型発熱剤、及び水を入れた水袋から成る携帯用簡易加熱器を設け、上記本体を扁平な支持物の上に立てて、当該本体の主袋の開口部から被加熱物を当該主袋に入れ、また、副袋の開口部から上記加水型発熱剤を副袋に入れ、上記水袋を破って当該副袋に水を入れて上記加水型発熱剤を発熱させて上記被加熱物を加熱する構成とした、携帯用簡易加熱器とした。
【００１０】
請求項３の考案は、上記請求項１又は２の考案において、上記耐熱性の袋がアルミニウム入りの袋である携帯用簡易加熱器とした。また、請求項４の考案は、上記請求項１、２又は３のいずれかの考案において、上記断熱用又は保温用シートが紙製シートである携帯用簡易加熱器とした。また、請求項５の考案は、上記請求項項１、２、３又は４のいずれかの考案において、上記断熱用又は保温用シートが、断面波型の紙製シートである携帯用簡易加熱器とした。また、請求項６の考案は、上記請求項１、２、３、４又は５のいずれかの考案において、上記加水型発熱剤は、粉体生石灰と粉体アルミニウムを混合して成り、発熱時には９０°Ｃ〜１００°Ｃを２０分間維持する温度制御及び時間制御されたものである携帯用簡易加熱器とした。
【考案の効果】
【００１１】
請求項１乃至６の各考案によれば、耐熱性の袋の外周側面に断熱用又は保温用シートを設けた本体、透水性の袋に入った加水型発熱剤、及び水袋をワンセットとし、扁平な本体の上、又は中に加水型加熱剤及び水袋を添えれば、コンパクトな携帯用簡易加熱器となるので、保管や運搬の際嵩張らず、軽量、安価で簡単な構成の携帯用簡易加熱器を容易に得ることが出来る。これにより、広く、多くの人々の手に渡りやすい携帯用簡易加熱器を提供することが出来る。
【００１２】
その結果、屋外において、また、災害時において、容易に飲料水や食料の入った耐熱性のペットボトルや、ビン、缶、哺乳瓶、レトルト食品又はタオル等を安全に温めることが出来る。また、火を使用しないので、火気厳禁の場所でも安心して使用することが出来る。さらに、使用後の処分も容易にできる。
【００１３】
また、加熱器の本体は、底面にマチの付いた耐熱性の袋の外周に断熱用又は保温用シートを設けたものであるため、被加熱物を当該本体の袋の中に入れれば、床や机等の扁平な支持物の上に容易かつ確実に自立することが出来るため、中の水がこぼれる心配も無く、極めて安全である。また、加熱時、本体内は上記加熱剤で加熱されているが、本体の外周は断熱用又は保温用シートが設けられているため、当該断熱用又は保温用シートを手で触っても、火傷をすることもなく、安全である。
【００１４】
また、上記効果に加え、請求項２の考案によれば、本体の袋が、被加熱物を入れる主袋と、加水型発熱剤及び水を入れる副袋とに分かれているため、ビンや缶等の被加熱物が発熱剤や加熱水に直接接触せず、従って濡れず、タオル等も直接袋に入れることが出来便利であるとともに、当該本体を繰り返し使用する際も袋内をすすいだりする必要がない。
【００１５】
また、上記効果に加え、請求項３の考案によれば、耐熱性の袋をアルミニウム入りとしたため、可とう性もあり、強度も高く、軽量であり使い勝手もよい。また、請求項４の考案及び請求項５の考案は、断熱用又は保温用シートを紙製としたため、可とう性もあり、軽量で、これを着色すれば極めて見栄えもよいものとなる。また、特に断面波型の紙製シートとしているため、断熱効果が高く、保温性にも富んでおり、また、可とう性が高く曲げやすい。
【００１６】
また、請求項６の考案によれば、上記加水型発熱剤は、発熱時には９０°Ｃ〜１００°Ｃを２０分間維持する温度制御及び時間制御されたものであるので、被加熱物を、通常、人が飲む湯茶等の温度に速やかに、かつ確実に加熱することができ、便利である。
【考案を実施するための最良の形態】
【００１７】
被加熱物を収納できる大きさの、底面にマチの付いた耐熱性のアルミ袋の外周側面に断熱用又は保温用の断面波型の紙製シートを貼着した本体、透水性の袋に入れた加水型発熱剤、及び水を入れた水袋から成る携帯用簡易加熱器を設け、上記本体を扁平な支持物の上に立てて、当該本体の開口部から上記加水型発熱剤の入った袋を中に入れ、同様に被加熱物を当該本体に入れ、上記水袋を破って当該本体に水を入れて上記加水型発熱剤を発熱させて上記被加熱物を加熱する構成とした。
【実施例１】
【００１８】
以下、この考案の実施例１を図に基づいて説明する。
図１はこの考案の加熱時の使用状態を示す断面図、図２は同使用状態を示す斜視図、図３はこの考案の構成部品の斜視図である。この実施例１の携帯用簡易加熱器Ａは、図３に示すように、被加熱物を収納できる大きさの袋状の本体１、略扁平な透水性の袋２ａに入れた加水型発熱剤２、及び水３を入れた水袋３ａの３つの部材から構成されている。
【００１９】
上記本体１は、被加熱物を収納できる大きさの、底面にマチ４ａの付いた耐熱性のアルミニウム入り袋４を設け、当該袋４は底面のマチ４ａを折り畳めば、扁平なシート状になるものである。この袋４を扁平にした状態で、当該袋４の外周に、断面波型の紙製シート５を貼着している。この紙製シート５は断熱用又は保温用のもので、ある程度厚み及び強度があり、かつ、可とう性を有するもので、上記袋４の底面のマチ４ａ及び上端側部を除き、袋４の外周面を被っている。
【００２０】
上記略扁平な透水性の袋２ａに入れた加水型発熱剤２は、粉体生石灰（ＣａＯ）と粉体アルミニウム（Ａｌ）を総重量当り１〜２：１〜２の割合の範囲で混合して形成されたものである。ここでは、株式会社協同製の発熱剤を使用する（特開２００３−３４２５５８号公報参照）。この発熱剤は、約９０°Ｃ〜１００°Ｃの温度を少なくとも２０分間維持できるように温度制御及び時間制御されている。また、これらの粉体生石灰と粉体アルミニウムを入れる袋２ａは透水性のものを使用している。
【００２１】
さらに、上記水３を入れた水袋３ａは、上記加水型発熱剤２の中の粉体生石灰と反応させることにより、発熱してアルミン酸カルシウムを生成するものである。ここでは、株式会社菅原冷蔵社製の水袋の水を触媒水として使用するが、この水は、塩水以外ならば、水道水の他、池水、川水、雨水等なんでも良い。使用する水量としては、発熱剤の重量の３倍以下で良いが、２倍量相当が適量である。
【００２２】
次に、この携帯用簡易加熱器Ａの使用の仕方を説明する。まず、扁平に折り畳まれた本体１、扁平な袋２ａに入れた加水型発熱剤２及び水３を入れた水袋３ａをワンセットにしたものを用意する。
【００２３】
そして、この中から、本体１を取り出し、この本体１の外周の紙製シート５を丸くして内部の袋４の底面のマチ４ａを広げ、本体１を略円柱状にし、図１及び図２に示すように扁平な場所に立てる。その後、この本体１の袋４の上部開口部から上記加水型発熱剤２の入った袋２ａを本体１の内部の底面に載置し、同様にして、当該加水型発熱剤２の袋２ａの上に被加熱物である清涼飲料水のビン６を入れる。そして上記水袋３ａを破って本体１内に水３を入れ、上記加水型発熱剤２を発熱させて上記ビン６を温める。このとき、本体１の袋４の上部開口部を開いたままでも良く、また当該開口部をクリップ等（図示省略）や図４に示すように、袋４の開口部に予め設けた嵌合型の開閉シール部４ｂで閉じておいても良い。
【００２４】
本体１の袋４内に入れられた水３により、加水型発熱剤２の中の粉体生石灰と水３が反応して第１発熱反応が起こり、アルミン酸カルシウムを生成し、この生成されたアルミン酸カルシウムと加水型発熱剤２の中の粉体アルミニウムが反応して第２発熱反応が起こり、加水型発熱剤２は発熱し、本体１の袋４内は水蒸気で満たされ、この水蒸気と共に上記清涼飲料水のビン６は加熱される。
【００２５】
この清涼飲料水のビン６が３５０ｍｌの容量の場合には、５〜６分で６５°Ｃ〜７２°Ｃに上昇し、約１５分間加熱することが出来る。また、この時、本体１の外周には紙製シート５が被覆されているため、当該紙製シート５が袋４の内部の保温効果を有して効率よく加熱が行われると共に、当該紙製シート５が外部に対しては断熱効果を有し、当該紙製シート５を手で触っても左程熱くなっておらず、火傷したりする恐れが無く、安全である。
【００２６】
使用後の上記発熱剤２は、粉体アルミニウムと生石灰の化合生成物であるので、土壌の改良剤として活用することが可能であり、酸性土壌をアルカリ性土壌に変えることが確認されている。さらに、この加水型発熱剤２は、発熱時は無臭であり、炭化水素ガスを少量発生させるが人体には無害である。
【実施例２】
【００２７】
図５はこの考案の実施例２の加熱使用時の断面図を示すものである。この実施例２の携帯用簡易加熱器Ｂは、図５に示すように、上記本体１の袋４を主袋７と副袋８に分けたものであり、これらの主袋７と副袋８との一側を貼着し、さらに、これらの外周に上記紙製シート５を巻きつけて貼着したものである。そして、被加熱物である清涼飲料水のビン６を主袋７内に入れ、上記加水型発熱剤２の袋２ａと水３を副袋８に入れ、当該副袋８の上部開口部を閉じることにより、当該加水型発熱剤２が水と反応し、上記実施例１と同様に副袋８の内部は水蒸気で充満し、この副袋８に隣接した主袋７内の上記ビン６も熱せられる。なお、これらの主袋７と副袋８は、別個の袋を張り合わせても良く、主袋の外側又は内側にポケット（図示省略）を設けて、このポケットを副袋としても良い。
【００２８】
また、上記図５の説明では主袋７に被加熱物である清涼飲料水のビン６を入れて、当該被加熱物を加熱する構成としたが、この実施例２の場合は、上記主袋７に直接水やその他の被加熱物を入れて温め、加熱後これらの被加熱物を主袋７から取り出し使用することもできる。また、お酒等の販売において、お酒が入ったカップと本件携帯用加熱器Ｂをワンセットとして販売すれば、購買者は、カップを主袋７に入れ、袋２ａに入った加水型発熱剤２及び水３を副袋８に入れれば、その場で熱燗が飲め、極めて便利である。
【００２９】
これらの携帯用簡易加熱器Ａ、Ｂを使用すれば、裸火の使用が禁止される都会型の災害緊急時や、緊急に少量のものの加熱を行いたい場合に使用できる。例えば、授乳用ミルクの加熱、湯茶用の加熱、その他の飲料の加熱、また、レトルト食品（例えば、スープ、カレーのルー、シチュー等々）の加熱、さらに、濡れタオルを耐熱性の袋に入れて加熱した蒸しタオルの作成、また、同様の耐熱性の袋に、例えば、冷や飯と水を入れてお粥を作ったり、具を温めるだけの簡単な調理等も行うことが出来る。さらに、哺乳瓶、箸、ナイフ、フォーク、スプーン等をこの中に入れて加熱することにより、殺菌することも出来る。勿論これらに限らず、他の多くの目的に使用することが出来る。
【００３０】
上記実施例においては、上記袋４はアルミニウム入りの袋としたが、これに限らず、耐熱性の袋であれば、プラスチック等、他の材質でも良い。また、上記紙製シート５は、袋４のマチ４ａを除く全ての外周を被うものでなくても良く、加熱される袋４の外周の一部であればよい。また、この紙製シート５は袋４の外周に貼着しているが、貼着に限らず、適宜の方法で袋４の外周に設ければよい。また、材質も断面波型の紙製シートに限らず、紙製のシート、プラスチック製のシート等、可とう性があれば適宜の材質で良く、要は断熱用又は保温用シートであれば良い。また、上記実施例では、加水型発熱剤２により制御した温度を約９０°Ｃ〜１００°Ｃとしているが、制御する温度はこれに限らず、所望の温度にすれば良い。よって、ペットボトルの加熱に際して、加水型発熱剤２により制御したい温度が高すぎると判断したときは、これらの温度をもっと低い温度に設定すれば良い。
【００３１】
さらに、加水型発熱剤２として、粉体生石灰と粉体アルミニウムから成る株式会社協同製の加水型発熱剤を使用しているが、加水型発熱剤としては、これに限定されるものではなく、加水型の発熱剤であれば何でも良い。また、この加水型発熱剤２は透水性の袋２ａに入っているが、加熱器の使用時に、袋２ａから取り出して、袋４又は副袋８に加水型発熱剤２のみを入れても良い。また、水３を入れた水袋３ａとして、株式会社菅原冷蔵社製の水袋を使用しているが、この水もこれに限定するものではなく、本願の効果を奏するものであればよい。また、上記清涼飲料水のビン６を加熱する際に、加水型発熱剤２の扁平な袋２ａを本体１の袋４の底面上に載置し、その上に上記ビン６を立てているが、発熱剤２を入れる袋２ａは、扁平なものに限らず、立体的なものでも良く、また、袋４の中に配置するのも底面に限定するものではなく、例えば、袋４の下部側面などに配置しても良い。
【図面の簡単な説明】
【００３２】
【図１】この考案の実施例１の携帯用簡易加熱器でビンを加熱している状態を示す断面図である。
【図２】この考案の実施例１の携帯用簡易加熱器でビンを加熱している状態を示す斜視図である。
【図３】この考案の実施例１の携帯用簡易加熱器の構成部品である、本体、加水型発熱剤及び水を入れた水袋を示す斜視図である。
【図４】この考案の実施例１の携帯用簡易加熱器の本体の変形を示す斜視図である。
【図５】この考案の実施例２の携帯用簡易加熱器でビンを加熱している状態を示す断面図である。
【符号の説明】
【００３３】
１    本体                    ２    加水型発熱剤    
２ａ  袋                      ３    水              
３ａ  水袋                    ４    袋    
４ａ  マチ                    ４ａ  開閉シール部
５    紙製シート              ６    清涼飲料水のビン
７    主袋                    ８    副袋
【図１】
0003118289.tif 000003
【図２】
0003118289.tif 000004
【図３】
0003118289.tif 000005
【図４】
0003118289.tif 000006
【図５】
0003118289.tif 000007
【手続補正書】
【提出日】平成17年11月9日(2005.11.9)
【手続補正１】
【補正対象書類名】図面
【補正対象項目名】全図
【補正方法】変更
【補正の内容】
【図１】
0003118289.tif 000008
【図２】
0003118289.tif 000009
【図３】
0003118289.tif 000010
【図４】
0003118289.tif 000011
【図５】
0003118289.tif 000012